(57)【要約】【課題】咬合力に対する構造部品の支持力を長期にわたって安定して得ることができる歯科インプラント用フィクスチャーおよび歯科インプラントを提供することである。【解決手段】略円柱状の本体部２と、本体部２の外周部２３に位置している少なくとも１つの凹部３と、外周部２３に位置しており一端部が少なくとも１つの凹部３に連続している少なくとも１つの横溝４Ａと、を備え、少なくとも１つの横溝４Ａは、外周部２３に開口している開口部と、溝幅が開口部における溝幅よりも大きくなっている拡幅領域と、を有する、歯科インプラント用フィクスチャー１であり、この歯科インプラント用フィクスチャー１を備える歯科インプラントである。【選択図】図１
2015006247.tif 000002
【特許請求の範囲】
【請求項１】
略円柱状の本体部と、
前記本体部の外周部に位置している少なくとも１つの凹部と、
前記外周部に位置しており一端部が前記少なくとも１つの凹部に連続している少なくとも１つの横溝と、を備え、
前記少なくとも１つの横溝は、
前記外周部に開口している開口部と、
溝幅が前記開口部における溝幅よりも大きくなっている拡幅領域と、を有する、歯科インプラント用フィクスチャー。
【請求項２】
前記拡幅領域は、前記開口部に連続している、請求項１に記載の歯科インプラント用フィクスチャー。
【請求項３】
前記拡幅領域の前記溝幅は、前記開口部側から離れるにつれて大きくなっている、請求項１または２に記載の歯科インプラント用フィクスチャー。
【請求項４】
前記少なくとも１つの凹部および前記少なくとも１つの横溝はいずれも、前記外周部のうち後方部に位置している、請求項１〜３のいずれかに記載の歯科インプラント用フィクスチャー。
【請求項５】
前記少なくとも１つの凹部は、前記本体部の先端部および後端部を貫く中心軸に沿って延びている、請求項１〜４のいずれかに記載の歯科インプラント用フィクスチャー。
【請求項６】
前記少なくとも１つの横溝は、前記本体部の先端部および後端部を貫く中心軸に対して略垂直に延びている、請求項１〜５のいずれかに記載の歯科インプラント用フィクスチャー。
【請求項７】
前記少なくとも１つの横溝は、さらに他端部が前記少なくとも１つの凹部に連続している、請求項１〜６のいずれかに記載の歯科インプラント用フィクスチャー。
【請求項８】
前記少なくとも１つの横溝は、複数の横溝を有し、前記複数の横溝はいずれも、互いに離れて位置している、請求項１〜７のいずれかに記載の歯科インプラント用フィクスチャー。
【請求項９】
前記少なくとも１つの凹部および前記少なくとも１つの横溝はいずれも、前記外周部のうち先方部に位置している、請求項１〜８のいずれかに記載の歯科インプラント用フィクスチャー。
【請求項１０】
請求項１〜９のいずれかに記載の歯科インプラント用フィクスチャーと、
前記歯科インプラント用フィクスチャーの前記本体部における後端部に取り付けられる構造部品と、を備える、歯科インプラント。
【発明の詳細な説明】
【技術分野】
【０００１】
本発明は、歯科インプラント用フィクスチャーおよびそれを備える歯科インプラントに関する。
【背景技術】
【０００２】
構造部品を支持する歯科インプラント用フィクスチャー（以下、「フィクスチャー」と言うことがある。）として、その表面に機械加工、レーザ加工技術等によって凹溝が形成された構成が知られている（例えば、特許文献１参照）。このフィクスチャーは、歯槽骨に埋植されるとともに、凹溝内に骨組織を成長させることによって、咬合力に対する構造部品の支持力を得ている。咬合力に対する構造部品の支持力は、長期にわたって低下し難いのが望ましい。
【先行技術文献】
【特許文献】
【０００３】
【特許文献１】特開２０１０−１８８０６２号公報
【発明の概要】
【発明が解決しようとする課題】
【０００４】
本発明の課題は、咬合力に対する構造部品の支持力を長期にわたって安定して得ることができる歯科インプラント用フィクスチャーおよび歯科インプラントを提供することである。
【課題を解決するための手段】
【０００５】
本発明者らは、上記課題を解決すべく鋭意研究を重ねた結果、以下の構成からなる解決手段を見出し、本発明を完成するに至った。
（１）略円柱状の本体部と、前記本体部の外周部に位置している少なくとも１つの凹部と、前記外周部に位置しており一端部が前記少なくとも１つの凹部に連続している少なくとも１つの横溝と、を備え、前記少なくとも１つの横溝は、前記外周部に開口している開口部と、溝幅が前記開口部における溝幅よりも大きくなっている拡幅領域と、を有する、歯科インプラント用フィクスチャー。
（２）前記拡幅領域は、前記開口部に連続している、前記（１）に記載の歯科インプラント用フィクスチャー。
（３）前記拡幅領域の前記溝幅は、前記開口部側から離れるにつれて大きくなっている、前記（１）または（２）に記載の歯科インプラント用フィクスチャー。
（４）前記少なくとも１つの凹部および前記少なくとも１つの横溝はいずれも、前記外周部のうち後方部に位置している、前記（１）〜（３）のいずれかに記載の歯科インプラント用フィクスチャー。
（５）前記少なくとも１つの凹部は、前記本体部の先端部および後端部を貫く中心軸に沿って延びている、前記（１）〜（４）のいずれかに記載の歯科インプラント用フィクスチャー。
（６）前記少なくとも１つの横溝は、前記本体部の先端部および後端部を貫く中心軸に対して略垂直に延びている、前記（１）〜（５）のいずれかに記載の歯科インプラント用フィクスチャー。
（７）前記少なくとも１つの横溝は、さらに他端部が前記少なくとも１つの凹部に連続している、前記（１）〜（６）のいずれかに記載の歯科インプラント用フィクスチャー。
（８）前記少なくとも１つの横溝は、複数の横溝を有し、前記複数の横溝はいずれも、互いに離れて位置している、前記（１）〜（７）のいずれかに記載の歯科インプラント用フィクスチャー。
（９）前記少なくとも１つの凹部および前記少なくとも１つの横溝はいずれも、前記外周部のうち先方部に位置している、前記（１）〜（８）のいずれかに記載の歯科インプラント用フィクスチャー。
（１０）前記（１）〜（９）のいずれかに記載の歯科インプラント用フィクスチャーと、前記歯科インプラント用フィクスチャーの前記本体部における後端部に取り付けられる構造部品と、を備える、歯科インプラント。
【発明の効果】
【０００６】
本発明によれば、咬合力に対する構造部品の支持力を長期にわたって安定して得ることができるという効果がある。
【図面の簡単な説明】
【０００７】
【図１】本発明の第１実施形態に係る歯科インプラント用フィクスチャーを示す図であり、（ａ）は側面図、（ｂ）は（ａ）のＡ矢視平面図（後端視図）である。
【図２】図１に示す歯科インプラント用フィクスチャーの横溝近傍を示す部分拡大側面図である。
【図３】図１（ｂ）のＢ−Ｂ線拡大断面図である。
【図４】本発明の第２実施形態に係る歯科インプラント用フィクスチャーの横溝近傍を示す部分拡大断面図である。
【図５】本発明の第３実施形態に係る歯科インプラント用フィクスチャーの横溝近傍を示す部分拡大断面図である。
【図６】本発明の第４実施形態に係る歯科インプラント用フィクスチャーを示す側面図である。
【図７】（ａ）〜（ｃ）は、本発明の一実施形態に係る歯科インプラント埋植手術を示す概略説明図である。
【発明を実施するための形態】
【０００８】
＜歯科インプラント用フィクスチャー＞
（第１実施形態）
以下、本発明の第１実施形態に係る歯科インプラント用フィクスチャーについて、図１〜図３を参照して詳細に説明する。
【０００９】
図１（ａ）に示すように、本実施形態のフィクスチャー１Ａは、略円柱状の本体部２を備えている。本実施形態の本体部２は、先端部２１および後端部２２を有する。本実施形態の先端部２１は、後述する図７（ｂ），（ｃ）に示すように、フィクスチャー１Ａを顎骨１１０に埋入したとき、歯槽骨１１１の海綿骨１１３側に位置する部位である。また、本実施形態の後端部２２は、後述するヒーリングキャップ１０および構造部品側に位置する部位である。本実施形態の本体部２は、上述した先端部２１から後端部２２までの長さが８〜１４ｍｍであるが、これに限定されるものではない。
【００１０】
また、本実施形態の本体部２は、図１（ａ）に示すように、外周部２３をさらに有する。本実施形態の外周部２３は、先端部２１側に位置している先方部２３１および後端部２２側に位置している後方部２３２を有する。本実施形態では、先方部２３１および後方部２３２が互いに連続しているとともに、先方部２３１の面積が後方部２３２の面積よりも大きい。
【００１１】
一方、本実施形態のフィクスチャー１Ａは、上述した本体部２の外周部２３に位置している少なくとも１つの凹部３をさらに備えている。本実施形態の凹部３は、図７（ｂ），（ｃ）に示すように、その内部に皮質骨１１２を再生させる部位として機能する。
【００１２】
本実施形態の凹部３は、図１（ａ）に示すように、外周部２３のうち後方部２３２に位置しており、フィクスチャー１Ａの中心軸Ｓに沿って延びている。フィクスチャー１Ａの中心軸Ｓとは、本体部２の先端部２１および後端部２２を貫く軸であり、後端視において、フィクスチャー１Ａを回転させたときに回転軸となる軸を意味するものとする。後端視とは、図１（ｂ）に示すように、後端部２２側からフィクスチャー１Ａを見た状態を意味するものとする。
【００１３】
本実施形態の凹部３は、その一端部３１が、本体部２の後端部２２に位置しているとともに、他端部３２が、後方部２３２のうち先端部２１側の端部２３２ａに位置している。このような構成によれば、後方部２３２において凹部３の長さを大きく確保できることから、その内部に再生させる皮質骨１１２の量を多くすることができる。
【００１４】
凹部３の数は、１〜６つであるのが好ましい。凹部３の数が複数の場合、複数の凹部３の構成は、互いに同一であってもよいし、異なっていてもよい。本実施形態では、凹部３の数が３つであり、３つの凹部３が実質的に同じ構成を有する。
【００１５】
また、凹部３の数が複数の場合、複数の凹部３は互いに離れて位置しているのが好ましい。本実施形態では、図１（ｂ）に示すように、３つの凹部３が中心軸Ｓを中心として１２０°回転対称となるように、互いに略等間隔で位置している。なお、複数の凹部３は、互いに異なる間隔で位置していてもよい。
【００１６】
本実施形態のフィクスチャー１Ａは、本体部２の外周部２３に位置している少なくとも１つの横溝４Ａをさらに備えている。横溝４Ａとは、本体部２の周方向に沿って延びる凹溝のことを意味するものとする。本実施形態の横溝４Ａは、凹部３と同様に、その内部に皮質骨１１２を再生させる部位として機能する。
【００１７】
横溝４Ａは、図２に示すように、フィクスチャー１Ａの中心軸Ｓに垂直な方向から見たとき、横溝４Ａの中心軸Ｏと、フィクスチャー１Ａの中心軸Ｓに垂直な直線Ｌ１とのなす角の角度が、±６０°以内であるのが好ましい。横溝４Ａの中心軸Ｏとは、フィクスチャー１Ａの中心軸Ｓに垂直な方向から見たとき、後述する横溝４Ａの開口部４１における溝幅Ｗの中点を連続して得られる構成のことを意味するものとする。本実施形態の横溝４Ａは、中心軸Ｏと直線Ｌ１とのなす角の角度が、実質的に０°である。言い換えれば、本実施形態の横溝４Ａは、中心軸Ｓに対して略垂直に延びている。
【００１８】
横溝４Ａの数は、少なくとも１つであればよく、特に限定されない。横溝４Ａの数が複数の場合、複数の横溝４Ａの構成は、互いに同一であってもよいし、異なっていてもよい。本実施形態では、横溝４Ａの数が４つであり、４つの横溝４Ａが実質的に同じ構成を有する。
【００１９】
また、横溝４Ａの数が複数の場合、複数の横溝４Ａは互いに離れて位置しているのが好ましい。本実施形態では、４つの横溝４Ａが互いに略等間隔で離れて位置している。なお、複数の横溝４Ａは、互いに異なる間隔で位置していてもよい。
【００２０】
本実施形態の横溝４Ａは、上述した凹部３と同様に、外周部２３のうち後方部２３２に位置している。そして、本実施形態の横溝４Ａは、その一端部４ａが凹部３に連続している。このような構成によれば、横溝４Ａの内部で再生する皮質骨１１２を、凹部３の内部で再生する皮質骨１１２に連続させることができ、結果として凹部３および横溝４Ａのそれぞれの内部で再生する皮質骨１１２の改変を抑制することができる。
【００２１】
上述した効果を向上させる観点から、本実施形態の横溝４Ａは、さらに他端部４ｂが凹部３に連続している。すなわち、本実施形態では、互いに離れて位置している２つの凹部３，３の間に位置している横溝４Ａの一端部４ａが２つの凹部３，３のうち一方に連続し、他端部４ｂが他方に連続している。なお、本実施形態の横溝４Ａは、一端部４ａおよび他端部４ｂがいずれも、凹部３の側壁部３３に連続している。
【００２２】
本実施形態の横溝４Ａは、図３に示すように、外周部２３のうち後方部２３２に開口している開口部４１を有する。また、本実施形態の横溝４Ａは、溝幅Ｗを有する。溝幅Ｗとは、図３に示す中心軸Ｓに平行な断面視において、開口部４１の縁部４１ａ，４１ｂ同士を結ぶ直線Ｌ２に平行な方向における横溝４Ａの寸法のことを意味するものとする。
【００２３】
ここで、本実施形態の横溝４Ａは、溝幅Ｗが開口部４１における溝幅Ｗよりも大きくなっている拡幅領域４２をさらに有する。このような構成によれば、拡幅領域４２に対応する部位を有するように横溝４Ａの内部に皮質骨１１２を再生させることができる。拡幅領域４２に対応する部位を有するように再生した皮質骨１１２は、咬合時に受ける様々な方向からの力を吸収し易い傾向にある。そして、上述した凹部３および横溝４Ａのそれぞれの内部で再生する皮質骨１１２同士が連続することによる効果と相まって、咬合力に対する構造部品の支持力を長期にわたって安定して得ることが可能となる。
【００２４】
上述した効果を向上させる観点から、拡幅領域４２における溝幅Ｗのうち最大の溝幅Ｗは、開口部４１における溝幅Ｗよりも１．１〜２．０倍であるのが好ましい。
【００２５】
なお、本実施形態の拡幅領域４２は、開口部４１に連続している。また、本実施形態の拡幅領域４２の溝幅Ｗは、開口部４１側から離れるにつれて大きくなっている。このような拡幅領域４２を有する本実施形態の横溝４Ａは、上述した断面視において、略Ｃ字または略逆Ｃ字の曲線状である。このような本実施形態の横溝４Ａは、例えば凹部３内に切削工具を挿入し、切削工具を凹部３の側壁部３３に接触させることによって形成することができる。切削工具としては、例えばボールエンドミル等が挙げられる。横溝４Ａを形成するときには、フィクスチャー１Ａを、中心軸Ｓを基準に回転させてもよい。
【００２６】
一方、本実施形態では、図１（ａ）に示すように、外周部２３のうち先方部２３１がセルフタップネジ部２３１ａを有する。本実施形態のセルフタップネジ部２３１ａは、先方部２３１の全周にわたって位置しているとともに、先方部２３１のうち中央部近傍から先端部２１に向かうにつれて小径になるテーパ状である。このような構成によれば、フィクスチャー１Ａを後述する図７（ａ）に示す埋入孔１００に埋入する過程において、埋入孔１００の内周面を削りつつ生成する切屑を排出しながらフィクスチャー１Ａを埋入孔１００に埋入できることから、フィクスチャー１Ａの固定性を向上させることができる。
【００２７】
（第２実施形態）
次に、本発明の第２実施形態に係るフィクスチャーについて、図４を参照して詳細に説明する。なお、図４においては、上述した図１〜図３と同一の構成部分には同一の符号を付して説明は省略する場合がある。
【００２８】
図４に示すように、本実施形態では、横溝の構成が上述した第１実施形態と異なる。具体的に説明すると、本実施形態のフィクスチャー１Ｂは、本体部２の外周部２３のうち後方部２３２に位置している少なくとも１つの横溝４Ｂを備えている。本実施形態の横溝４Ｂは、中心軸Ｓに平行な断面視において、中心軸Ｓ側を長辺とする略台形状である。このような構成によっても、横溝４Ｂは、図示しない一端部４ａが凹部３に連続しており、溝幅Ｗが開口部４１における溝幅Ｗよりも大きくなっている拡幅領域４２を有することから、上述した第１実施形態に係る横溝４Ａと同様の効果を奏する。
【００２９】
なお、本実施形態の横溝４Ｂは、開口部４１の縁部４１ａ，４１ｂがいずれも面取りされている。このような場合の溝幅Ｗは、上述した断面視において、開口部４１の縁部４１ａ，４１ｂのうち中心軸Ｓから遠い側に位置している端部４１ａ’，４１ｂ’同士を結ぶ直線Ｌ２’に平行な方向における横溝４Ｂの寸法のことを意味するものとする。
その他の構成は、上述した第１実施形態に係るフィクスチャー１Ａと同様であるので、説明を省略する。
【００３０】
（第３実施形態）
次に、本発明の第３実施形態に係るフィクスチャーについて、図５を参照して詳細に説明する。なお、図５においては、上述した図１〜図４と同一の構成部分には同一の符号を付して説明は省略する場合がある。
【００３１】
図５に示すように、本実施形態では、横溝の構成が上述した第１実施形態と異なる。具体的に説明すると、本実施形態のフィクスチャー１Ｃは、本体部２の外周部２３のうち後方部２３２に位置している少なくとも１つの横溝４Ｃを備えている。本実施形態の横溝４Ｃは、中心軸Ｓに平行な断面視において、略３字状または略逆３字状である。このような構成によっても、横溝４Ｃは、図示しない一端部４ａが凹部３に連続しており、溝幅Ｗが開口部４１における溝幅Ｗよりも大きくなっている拡幅領域４２を有することから、上述した第１実施形態に係る横溝４Ａと同様の効果を奏する。
その他の構成は、上述した第１，第２実施形態に係るフィクスチャー１Ａ，１Ｂと同様であるので、説明を省略する。
【００３２】
（第４実施形態）
次に、本発明の第４実施形態に係るフィクスチャーについて、図６を参照して詳細に説明する。なお、図６においては、上述した図１〜図５と同一の構成部分には同一の符号を付して説明は省略する場合がある。
【００３３】
図６に示すように、本実施形態では、凹部および横溝がいずれも、本体部２の外周部２３のうち後方部２３２のみならず、先方部２３１にも位置しており、この点で上述した第１実施形態と異なる。
【００３４】
具体的に説明すると、本実施形態のフィクスチャー１Ｄは、本体部２の外周部２３のうち後方部２３２に位置している少なくとも１つの第１凹部３Ｄ１、および少なくとも１つの第１横溝４Ｄ１を備えている。本実施形態の第１凹部３Ｄ１は、上述した第１実施形態に係る凹部３と同様の構成を有し、その数は３つである。また、本実施形態の第１横溝４Ｄ１は、上述した第２実施形態に係る横溝４Ｂと同様の構成を有し、その数は４つである。
【００３５】
一方、本実施形態のフィクスチャー１Ｄは、本体部２の外周部２３のうち先方部２３１に位置している少なくとも１つの第２凹部３Ｄ２、および少なくとも１つの第２横溝４Ｄ２をさらに備えている。本実施形態の第２凹部３Ｄ２は、セルフタップネジ部２３１ａを切り欠くように中心軸Ｓに沿って延びており、その数は１つである。また、本実施形態の第２横溝４Ｄ２は、一端部４ａおよび他端部４ｂがいずれも第２凹部３Ｄ２の側壁部３３に連続している。そして、本実施形態の第２横溝４Ｄ２は、上述した第１実施形態に係る横溝４Ａと同様の構成を有し、その数は５つである。これらの構成によれば、後方部２３２のみならず、先方部２３１においても凹部および横溝による上述した効果が得られる。
その他の構成は、上述した第１〜第３実施形態に係るフィクスチャー１Ａ〜１Ｃと同様であるので、説明を省略する。
【００３６】
＜歯科インプラント＞
次に、本発明の一実施形態に係る歯科インプラントについて、上述した第１実施形態に係るフィクスチャー１Ａを使用する場合を例にとって説明する。
【００３７】
本実施形態の歯科インプラントは、上述したフィクスチャー１Ａと、フィクスチャー１Ａの本体部２のうち後端部２２に取り付けられる構造部品と、を備えている。
【００３８】
本実施形態の構造部品は、いわゆる人工の歯であり、これには金属製またはセラミック製の人工歯が含まれる。金属製またはセラミック製の人工歯は、通常、オーダーメイドで作られ、アバットメントを介してフィクスチャー１Ａの後端部２２に取り付けられる。金属製またはセラミック製の人工歯は、単独型であってもよいし、連結型(ブリッジ)であってもよい。また、上述した人工の歯には、人工歯の他に、義歯も含まれる。義歯としては、例えば部分入れ歯または総入れ歯等のいわゆる入れ歯等が挙げられる。入れ歯は、取り外し可能な状態でアタッチメントを介してフィクスチャー１Ａの後端部２２に取り付けられる。
【００３９】
本実施形態において、構造部品の取り付けは、図１（ｂ）に示すように、後端部２２の略中央部に位置している有底の取り付け孔２２１を介して行う。
【００４０】
なお、本実施形態では、フィクスチャー１Ａを使用する場合を例にとって説明したが、フィクスチャー１Ａに代えて、フィクスチャー１Ｂ〜１Ｄを使用しても同様の効果を奏する歯科インプラントが得られる。
【００４１】
＜歯科インプラント埋植手術＞
次に、本発明の一実施形態に係る歯科インプラント埋植手術について、上述した第１実施形態に係るフィクスチャー１Ａを使用する場合を例にとって、図７を参照して詳細に説明する。
【００４２】
まず、図７（ａ）に示すように、歯肉１０１および顎骨１１０の歯槽骨１１１にドリル等によって埋入孔１００を穿孔する。本実施形態の埋入孔１００は、フィクスチャー１Ａよりも若干小さな形状を有する。
【００４３】
次に、図７（ｂ）に示すように、穿孔した埋入孔１００にフィクスチャー１Ａを埋入する。ここで、フィクスチャー１Ａを埋入孔１００に埋入すると、凹部３と皮質骨１１２との間、および横溝４Ａと皮質骨１１２との間には適度な隙間が形成される。これらの隙間は、数週間から数か月程度の免荷期間を経て皮質骨１１２の再生によって埋まる。このとき、横溝４Ａの内部には拡幅領域４２に対応する部位を有するように皮質骨１１２が再生する。また、凹部３および横溝４Ａのそれぞれの内部で再生する皮質骨１１２同士が連続する。その結果、上述した理由から、咬合力に対する構造部品の支持力を長期にわたって安定して得ることが可能となる。
【００４４】
なお、歯肉１０１を保護する上で、免荷期間中は、図７（ｂ）に示すように、後端部２２にヒーリングキャップ１０を取り付けるのが好ましい。本実施形態において、ヒーリングキャップ１０の取り付けは、上述した構造部品の取り付けと同様に、取り付け孔２２１を介して行う。
【００４５】
フィクスチャー１Ａの顎骨１１０への固定が完了した後は、図７（ｃ）に示すように、ヒーリングキャップ１０を後端部２２から取り外し、後端部２２に図示しない上述した構造部品を取り付けて歯科インプラントとし、治療を終了する。
【００４６】
なお、本実施形態では、フィクスチャー１Ａを使用する場合を例にとって説明したが、フィクスチャー１Ａに代えて、フィクスチャー１Ｂ〜１Ｄを使用しても同様の効果が得られる。
【００４７】
以上、本発明に係るいくつかの実施形態について例示したが、本発明は上述した実施形態に限定されるものではなく、本発明の要旨を逸脱しない限り任意のものとすることができることは言うまでもない。
【００４８】
例えば、上述の第１実施形態では、凹部３がフィクスチャー１Ａの中心軸Ｓに沿って延びる形状に構成されているが、これに代えて、凹部３を他の形状に構成することができる。すなわち、凹部３は、凹部３内に皮質骨１１２を成長させることができ、かつ切削工具を挿入して横溝４Ａを形成できる限り、所望の形状に構成することができる。凹部３の他の形状としては、例えば円形状、多角形状、直線状、螺旋状、曲線状等が挙げられるが、これらに限定されるものではない。
【００４９】
また、上述の第１実施形態では、横溝４Ａが中心軸Ｓに対して略垂直に延びているため、横溝４Ａの形状は略直線状であるが、これに代えて、横溝４Ａを他の形状に構成することができる。横溝４Ａの他の形状としては、例えば螺旋状、曲線状等が挙げられるが、これらに限定されるものではない。
【００５０】
また、上述の第４実施形態では、凹部および横溝がいずれも、本体部２の外周部２３のうち後方部２３２および先方部２３１に位置しているが、これに代えて、凹部および横溝がいずれも、先方部２３１にのみ位置していてもよい。すなわち、凹部および横溝のそれぞれは、上述の実施形態の構成に代えて、所望の位置に配置することができる。例えば、凹部は、後方部２３２から先方部２３１に跨って位置していてもよいし、後方部２３２のうち後端部２２側の端部から先方部２３１のうち先端部２１側の端部にまで連続するように位置していてもよい。同様に、横溝も、例えば螺旋状にし、後方部２３２から先方部２３１に跨って位置していてもよいし、後方部２３２のうち後端部２２側の端部から先方部２３１のうち先端部２１側の端部にまで連続するように位置していてもよい。
【符号の説明】
【００５１】
１Ａ〜１Ｄ  歯科インプラント用フィクスチャー
２  本体部
２１  先端部
２２  後端部
２２１  取り付け孔
２３  外周部
２３１  先方部
２３１ａ  セルフタップネジ部
２３２  後方部
２３２ａ  端部
３  凹部
３１  一端部
３２  他端部
３３  側壁部
３Ｄ１  第１凹部
３Ｄ２  第２凹部
４Ａ〜４Ｃ  横溝
４ａ  一端部
４ｂ  他端部
４１  開口部
４１ａ  縁部
４１ｂ  縁部
４２  拡幅領域
４Ｄ１  第１横溝
４Ｄ２  第２横溝
１０  ヒーリングキャップ
１００  埋入孔
１０１  歯肉
１１０  顎骨
１１１  歯槽骨
１１２  皮質骨
１１３  海綿骨
【図１】
2015006247.tif 000003
【図２】
2015006247.tif 000004
【図３】
2015006247.tif 000005
【図４】
2015006247.tif 000006
【図５】
2015006247.tif 000007
【図６】
2015006247.tif 000008
【図７】
2015006247.tif 000009